(57)【要約】フリップチップ（２１０）をプリント配線板（２３０）に装着する方法を提供する。バンプが形成された光電子、又は電気機械フリップチップ（２１０）を提供する。フリップチップ（２１０）の第一の部分（２５０）にアンダーフィル材（２４０）を塗布し、フリップチップ（２１０）の第二の部分（２６０）はアンダーフィル材（２４０）を有さない。このフリップチップ（２１０）をプリント配線板（２３０）上に配置して、同フリップチップ（２１０）のバンプ形成部分を加熱することによってフリップチップ（２１０）をプリント配線板（２３０）に電気接続する。フリップチップ（２１０）がプリント配線板（２３０）に電気接続される際に、フリップチップ（２１０）の第二の部分（２６０）は、アンダーフィル材（２４０）を有さない状態に維持される。
2006511964.tif 000002
【特許請求の範囲】
【請求項１】
フリップチップをプリント配線板に装着する方法であって、
バンプが形成されたフリップチップを提供する工程と、
前記フリップチップの第一の部分にアンダーフィル材を適用する工程と、フリップチップの第二の部分はアンダーフィル材を有さないことと、
前記フリップチップをプリント配線板上に配置する工程と、
前記フリップチップのバンプ形成部分を加熱して、同フリップチップをプリント配線板に対して電気接続する工程と、前記フリップチップがプリント配線板に対して電気接続される際に、フリップチップの第二の部分はアンダーフィル材を有さない状態に維持されることとを含む方法。
【請求項２】
前記バンプ形成フリップチップは、同フリップチップの活性表面上において少なくとも一つのはんだバンプ、及びはんだボールのいずれか一方を備える請求項１に記載の方法。
【請求項３】
前記フリップチップの第二の部分は、少なくとも一つの光デバイスを備える請求項１に記載の方法。
【請求項４】
前記光デバイスは、フォトダイオード、フォトディテクタ、フォトダイオード・アレイ、フォトディテクタ・アレイ、発光ダイオード、半導体レーザ、垂直共振器型面発光レーザ、端面発光レーザ、フォトエミッタ、光エミッタ、光ディテクタ、導光管、屈折素子、反射素子、光学素子、及びこれらの組み合わせから選択される請求項３に記載の方法。
【請求項５】
前記フリップチップの第二の部分は、少なくとも一つの電気機械デバイスを有する請求項１に記載の方法。
【請求項６】
前記電気機械デバイスは、電気機械フィルタ、電気機械リレー、音声エミッタ、音声ディテクタ、弾性表面波デバイス、バルク弾性波デバイス、薄膜機械素子、マイクロ流体デバイス、及び微小電気機械デバイスから選択される請求項５に記載の方法。
【請求項７】
前記アンダーフィル材を適用する工程は、
パターン化されたマスクを前記フリップチップのバンプ形成面に配置する工程と、
前記パターン化マスクの全体にアンダーフィル材を分配する工程とを含む請求項１に記載の方法。
【請求項８】
前記アンダーフィル材は、少なくとも一つのバンプの高さより厚く分配される請求項７に記載の方法。
【請求項９】
前記アンダーフィル材を適用する工程は、
パターン化されたアンダーフィルの薄膜を、フリップチップのバンプ形成面に対向して配置する工程と、
前記パターン化アンダーフィル薄膜をフリップチップ上に加圧する工程とを含む請求項１に記載の方法。
【請求項１０】
前記アンダーフィル材は不透明である請求項１に記載の方法。
【請求項１１】
前記アンダーフィル材は、電気接続されたフリップチップの緊張を緩和する請求項１に記載の方法。
【請求項１２】
前記アンダーフィル材は、エポキシ、熱可塑性材料、熱硬化性材料、ポリイミド、ポリ
ウレタン、高分子材料、充填エポキシ、充填熱可塑性材料、充填熱硬化性材料、充填ポリイミド、充填ポリウレタン、充填高分子材料、及び適切なアンダーフィル化合物から選択された材料を含む請求項１に記載の方法。
【請求項１３】
前記プリント配線板は、ＦＲ４基板、有機回路基板、マザーボード、光電子モジュール、電気機械モジュール、セラミック基板、ハイブリッド回路基板、パッケージ基板、半導体基板、ポリイミドテープ、フレックス回路、高密度相互接続基板、電気機械回路基板、及び光電子回路基板から選択される請求項１に記載の方法。
【請求項１４】
前記バンプ形成フリップチップのバンプ形成部分は、同フリップチップのリフロー温度に加熱される請求項１に記載の方法。
【請求項１５】
第一の部分と第二の部分とを有するバンプ形成フリップチップと、
前記フリップチップの第一の部分上に配置されたアンダーフィル材とを備え、
前記フリップチップの第二の部分は、フリップチップがプリント配線板上に配置されて、フリップチップをプリント配線板に対して電気接続するために加熱される際に、アンダーフィル材を有さない状態に維持されるフリップチップアセンブリ。
【請求項１６】
前記フリップチップは、同フリップチップの活性表面上に少なくとも一つのはんだバンプ、及びはんだボールのいずれか一方を有する請求項１５に記載のアセンブリ。
【請求項１７】
前記フリップチップの第二の部分は、少なくとも一つの光デバイスを備える請求項１５に記載のアセンブリ。
【請求項１８】
前記光デバイスは、フォトダイオード、フォトディテクタ、フォトダイオード・アレイ、フォトディテクタ・アレイ、発光ダイオード、半導体レーザ、垂直共振器型面発光レーザ、端面発光レーザ、フォトエミッタ、光エミッタ、光ディテクタ、導光管、屈折素子、反射素子、光学素子、及びこれらの組み合わせから選択される請求項１７に記載のアセンブリ。
【請求項１９】
前記フリップチップの第二の部分は、少なくとも一つの電気機械デバイスを有する請求項１５に記載のアセンブリ。
【請求項２０】
前記電気機械デバイスは、電気機械フィルタ、電気機械リレー、音声エミッタ、音声ディテクタ、弾性表面波デバイス、バルク弾性波デバイス、薄膜機械素子、マイクロ流体デバイス、及び微小電気機械デバイスから選択される請求項１９に記載のアセンブリ。
【請求項２１】
前記アンダーフィル材は、エポキシ、熱可塑性材料、熱硬化性材料、ポリイミド、ポリウレタン、高分子材料、充填エポキシ、充填熱可塑性材料、充填熱硬化性材料、充填ポリイミド、充填ポリウレタン、充填高分子材料、及び適切なアンダーフィル化合物から選択された材料を含む請求項１５に記載のアセンブリ。
【請求項２２】
更にプリント配線板を備え、前記フリップチップの活性表面が同プリント配線板上に配置され、かつ固定されており、フリップチップの第二の部分内の少なくとも一つの光電子デバイスが、プリント配線板上の関連するデバイスに対して光学的に接続されている請求項１５に記載のアセンブリ。
【請求項２３】
前記プリント配線板は、ＦＲ４基板、有機回路基板、マザーボード、光電子モジュール、電気機械モジュール、セラミック基板、ハイブリッド回路基板、パッケージ基板、半導体基板、ポリイミドテープ、フレックス回路、高密度相互接続基板、電気機械回路基板、
及び光電子回路基板から選択される請求項２２に記載のアセンブリ。
【請求項２４】
バンプが形成された半導体ウエハを提供する工程と、同バンプ形成半導体ウエハは少なくとも一つの光電子デバイス、及び電気機械デバイスのいずれか一方と、少なくとも一つのはんだバンプとを備えていることと、
前記バンプ形成半導体ウエハに、パターン化されたマスクを整合する工程と、同パターン化マスクは、少なくとも一つの光電子デバイス、及び電気機械デバイスのいずれか一方に対応する少なくとも一つのバリア状部分を備えていることと、
前記パターン化マスクを介してアンダーフィル材をバンプ形成半導体ウエハ上に分配する工程と、前記少なくとも一つの光電子デバイス、及び電気機械デバイスのいずれか一方はアンダーフィル材を有さないことと、
前記アンダーフィル材を加熱する工程と、前記少なくとも一つのはんだバンプの周囲においてアンダーフィル材を流動させる一方で、少なくとも一つの光電子デバイス、及び電気機械デバイスのいずれか一方は、アンダーフィルを有さない状態に維持されることとを含むプロセス。
【請求項２５】
前記バンプ形成半導体ウエハは、少なくとも一つの光電子デバイス、及び電気機械デバイスのいずれか一方を有するシリコンウエハからなる請求項２４に記載のプロセス。
【請求項２６】
前記アンダーフィル材は、エポキシ、熱可塑性材料、熱硬化性材料、ポリイミド、ポリウレタン、高分子材料、充填エポキシ、充填熱可塑性材料、充填熱硬化性材料、充填ポリイミド、充填ポリウレタン、充填高分子材料、及び適切なアンダーフィル化合物から選択される請求項２４に記載のプロセス。
【請求項２７】
前記アンダーフィル材は、同アンダーフィル材のステージ温度に加熱される請求項２４に記載のプロセス。
【請求項２８】
バンプが形成された半導体ウエハを提供する工程と、同バンプ形成半導体ウエハは、少なくとも一つの光電子デバイス、及び電気機械デバイスのいずれか一方と、少なくとも一つのはんだバンプとを備えていることと、
パターン化されたアンダーフィルの薄膜を前記バンプ形成半導体ウエハに整合する工程と、同パターン化アンダーフィル薄膜は、後部支持層と、同支持層上に配置されたアンダーフィル材と、前記少なくとも一つの光電子デバイス、及び電気機械デバイスのいずれか一方に対応する少なくとも一つの開口部とを備えていることと、
前記パターン化アンダーフィル薄膜をバンプ形成半導体ウエハに貼付する工程と、
前記パターン化アンダーフィル薄膜から後部支持層を除去する工程と、アンダーフィル材の層はバンプ形成半導体ウエハに貼付された状態に維持され、前記少なくとも一つの光電子デバイス、及び電気機械デバイスのいずれか一方はアンダーフィル材を有さないことと、
前記アンダーフィル材を加熱する工程と、前記少なくとも一つのはんだバンプの周囲においてアンダーフィル材を流動させる一方で、少なくとも一つの光電子デバイス、及び電気機械デバイスのいずれか一方は、アンダーフィル材を有さない状態に維持されることとを含む選択的アンダーフィルプロセス。
【請求項２９】
前記アンダーフィル材は、エポキシ、熱可塑性材料、熱硬化性材料、ポリイミド、ポリウレタン、高分子材料、充填エポキシ、充填熱可塑性材料、充填熱硬化性材料、充填ポリイミド、充填ポリウレタン、充填高分子材料、及び適切なアンダーフィル化合物から選択される請求項２８に記載のプロセス。
【請求項３０】
前記パターン化アンダーフィル薄膜を貼付する工程は、パターン化アンダーフィル薄膜
とバンプ形成半導体ウエハとが貼付温度にあるときに、パターン化アンダーフィル薄膜をバンプ形成半導体ウエハに対して加圧する工程を含む請求項２８に記載のプロセス。
【請求項３１】
前記パターン化アンダーフィル薄膜を貼付する工程は、パターン化アンダーフィル薄膜とバンプ形成半導体ウエハとの間の領域を揚出する工程と、パターン化アンダーフィル薄膜とバンプ形成半導体ウエハとを貼付温度に加熱する工程とを含む請求項２８に記載のプロセス。
【発明の詳細な説明】
【技術分野】
【０００１】
本発明は、半導体ウエハプロセスと集積回路のパッケージングとに関する。より詳細には、本発明は、バンプが形成された光電子、又は電気機械半導体ウエハ、フリップチップ、及びフリップチップアセンブリのための選択的アンダーフィルと、同選択的アンダーフィルを備えた半導体ウエハ、フリップチップ又はフリップチップモジュールの製造方法とに関する。
【背景技術】
【０００２】
光電子アセンブリと電気機械アセンブリとをプリント配線板（ＰＷＢ）に対して組み立てることは、別個の構成要素が集積されてコスト効果の高いモジュールを形成する点で益々重要になっている。フリップチップ接合技術を用いて、小さいサイズのアセンブリを作動させることにより卓越した性能を実現することが可能である。光電子集積回路（ＩＣｓ）は、ダイとＰＷＢとの間で機能する光放射素子と光検出素子とを有するため、光エミッタ又は光ディテクタの光路を妨害するアセンブリ技術を使用することは不可能である。一般に、フリップチップアセンブリ技術では、フリップチップをＰＷＢに接合するためのアンダーフィル材を必要とするが、このアンダーフィル材は光路を妨害し得る。アンダーフィル材ははんだバンプを構造的に補強して、かつフリップチップをＰＷＢに機械的に接着させてアセンブリの信頼性を向上させる。
【０００３】
弾性表面波（ＳＡＷ）デバイス、微小電気機械システム（ＭＥＭＳ）デバイス等の電気機械デバイス、集積された電気機械デバイス、及び可動部品を有する他のデバイス等の電気機械デバイスは、アンダーフィル材で完全に覆われた場合、その機能が低下するか、又は全く機能しなくなり得る。これらのデバイスは、バンプが形成されてフリップチップアセンブリにて使用される際に、アンダーフィル材を有さない状態に維持される必要がある。
【０００４】
先行技術において、アンダーフィル材はＩＣインターフェイスの全表面に適用される。液体アンダーフィル材の分配技術においては、アンダーフィルはフリップチップ接合ダイの縁部に適用されて、毛管現象により流体をダイの下部へ移動させる。このプロセス中、ダイの全面がアンダーフィル材により被覆される。高粘度、非流動性のアンダーフィルを使用する場合、ダイ配置に先だってアンダーフィルがＰＷＢに適用され得る。はんだリフロー中、アンダーフィルは液化してダイの全表面を湿潤させる。これらいずれの場合でも、アンダーフィルはダイの全表面を覆ってダイのエミッタとダイのディテクタ間における光の伝搬を妨害する。アンダーフィル材が不透明で光学素子を覆っている場合、光放射は全く伝達されない。透明なアンダーフィル材が使用される場合は、フリップチップ、又はプリント配線板に隣接する気泡、空隙、粒子、又は空気ポケット等の欠陥部が光の伝達を歪曲、又は阻止し得る。透明材料は時間と共に劣化し得る。膨張適合性（thermal matching)の熱係数のためにアンダーフィル材中に含有された充填材によって、必要以上の光の
分散が発生し得る。圧電デバイス、又は表面微小化機械リレー（surface micromachine relay)等の機械的、又は音声的動作構造を有する電気機械デバイスでは、そのデバイスの
作動を妨害しないように電気機械素子を覆うアンダーフィル材を設けることが不可能である。
【０００５】
特許文献１に開示されているように、フリップチップアセンブリの縁部の周囲にアンダーフィル材を適用して同アンダーフィル材を内部領域へ部分的に移動させることによって、フリップチップの一部をアンダーフィル材が存在しない状態に残留させ得る。特許文献
２の開示においては、導光管のクラッドの屈折率よりも小さい屈折率を有する透明なアンダーフィル樹脂が、フリップチップ上、及びプリント配線板上の光デバイス間のアンダーフィル材として使用されている。他の製造業者は、アンダーフィルに付随する利点は損失されるが、アンダーフィル材が全く塗布されていないはんだバンプを用いることによって、フリップチップ上の光電子デバイスと、プリント配線板上のマイクロレンズ、導光管、又は他の光学素子との間の光の伝達を妨害させない。
【０００６】
フリップチップとＰＷＢとの間の光伝送路が光学的に妨害されていない状態に維持する一方で、光電子フリップチップを下部のパッケージ基板、即ちＰＷＢに直接装着するパッケージング技術が存在すれば有利であろう。このようなパッケージング技術により、信頼性の高い電気接続と、堅固なダイ接合、バンプの緊張緩和、かつ環境からの効果的な保護を提供するアンダーフィル材の保護性とを有し、その一方で、関連する光デバイス間の制限されない自由空間伝達特性が保持された状態で、フリップチップを基板に対して接合することが可能になる。電気機械フリップチップは、フリップチップがＰＷＢ即ちパッケージ基板に接合される際に、同フリップチップの動きを妨害することなく基板、即ちＰＷＢに装着されることが重要であろう。
【特許文献１】米国特許第６，３６５，４４１号（撤artial Underfill for Flip Chip Electronic Packages狽Q００２年４月２日発行）
【特許文献２】米国特許出願公開公報第２００２／００３７１３８号（念ptical Module and Method for Manufacturing Same狽Q００２年３月２８日公開）
【発明の開示】
【発明が解決しようとする課題】
【０００７】
従って、本発明の目的は、バンプが形成された光電子、及び電気機械フリップチップを、プリント配線板に装着する方法を提供することにある。本発明の別の目的は、フリップチップアセンブリの光学部分、及び電気機械部分がアンダーフィル材を有さないフリップチップアセンブリを提供することにある。本発明の更なる別の目的は、ダイ又はウエハレベルにおけるバンプ形成光電子フリップチップ、及びバンプ形成電気機械フリップチップのための選択的アンダーフィルプロセスを提供することにある。
【課題を解決するための手段】
【０００８】
本発明の一局面において、プリント配線板にフリップチップを装着する方法を提供する。バンプ形成フリップチップの第一の部分にアンダーフィル材を適用し、フリップチップの光学部分、又は電気機械部分はアンダーフィル材を有さない状態に維持される。選択的アンダーフィルを有するフリップチップをプリント配線板上に配置した後、加熱してフリップチップをプリント配線板に電気的かつ機械的に接続するとともに、フリップチップの光学部分、又は電気機械部分をアンダーフィル材が存在しない状態に維持する。
【０００９】
本発明の別の一局面において、第一の部分と第二の部分とを有するバンプ形成フリップチップと、同バンプ形成フリップチップの第一の部分に対して選択的に配置されたアンダーフィル材とを備えたフリップチップアセンブリに関する。フリップチップの第二の部分は、一つ以上の光デバイス、又は電気機械デバイスを有し得る。フリップチップの第二の部分は、フリップチップがプリント配線板上に配置された後、加熱されて同フリップチップがプリント配線板に電気接続される際に、アンダーフィル材を有さない状態に維持される。フリップチップアセンブリはプリント配線板を備えてもよく、フリップチップの活性表面がプリント配線板上に配置され、かつ固定されており、フリップチップ上の少なくとも一つの光電子デバイスはプリント配線板上の関連するデバイスに対して光学的に接続されている。
【００１０】
本発明の別の一局面は、選択的アンダーフィルプロセスに関する。少なくとも一つの光
電子デバイス、又は電気機械デバイスと、少なくとも一つのはんだバンプとを有するバンプ形成半導体ウエハを、パターン化されたマスクに整合する。パターン化マスクは少なくとも一つの光電子、又は電気機械デバイスに対応する少なくとも一つのバリア状部分を有し得る。パターン化マスクを介してアンダーフィル材をバンプ形成半導体ウエハ上に分配して、光電子、及び電気機械デバイスをアンダーフィル材が存在しない状態に保つ。アンダーフィルを加熱して、はんだバンプ周囲のアンダーフィル材を流動させるとともに、光電子、又は電気機械デバイスをアンダーフィル材が存在しない状態に維持する。
【００１１】
本発明の別の一局面は、パターン化されたアンダーフィル薄膜を基とする選択的アンダーフィルプロセスに関する。少なくとも一つの光電子デバイス、又は電気機械デバイスと、少なくとも一つのはんだバンプとを有するバンプ形成半導体ウエハを、パターン化アンダーフィル薄膜に整合する。アンダーフィル薄膜は後部支持層と、後部支持層上に配置されたアンダーフィル材とを有し、光電子、又は電気機械デバイスに対応する少なくとも一つの開口部を備える。パターン化アンダーフィル薄膜をバンプ形成半導体ウエハに貼付して、後部支持層を除去する。アンダーフィル材を加熱して、少なくとも一つのはんだバンプの周囲のアンダーフィル材を流動させる。
【発明を実施するための最良の形態】
【００１２】
本発明を多様な実施形態の添付された図面と、以下の詳細な説明とにより説明する。図面は本発明を特定の実施形態に限定することを意図するものではなく、説明と理解とを意図するものである。詳細な説明及び図面は、本発明の単なる解説ではなく、本発明の範囲は添付の特許請求の範囲と、その等価物とによって限定される。前述した本発明の局面及び他の付随する利点は、添付の図面と関連する詳細な説明によりより容易に理解されるであろう。
【００１３】
本発明は、選択的アンダーフィルを備えた光電子、又は電気機械フリップチップアセンブリを提供する。本発明の一局面は、光電子、又は電気機械フリップチップをプリント配線板に装着する方法に関する。フリップチップアンダーフィルアセンブリプロセスでは、アンダーフィル材をフリップチップの非光学部分、及び非電気機械部分に対して選択的に配置する。アンダーフィル材はダイの所定領域を覆わないように制限される。フリップチップアンダーフィルのプロセス中、アンダーフィル材は、非光学、及び非電気機械部分におけるダイ表面上に配置され得る。アンダーフィル材は、アンダーフィル材がフリップチップと、基板、即ちプリント配線板との間の光の伝達を制限、又は妨害し得る箇所である、光エミッタや光ディテクタ等の光デバイス、及び光電子デバイス上に存在しないように配置される。またアンダーフィル材は、ダイのストリート、はんだバンプの頂部上、又はフリップチップ上のはんだバンプの選択領域等、ダイ又はウエハの他の領域からも制限され得る。ダイの光学的活性部分のアンダーフィル材による被覆を制限することによって、フリップチップとＰＷＢ間の光の伝達を妨害することなくアンダーフィルの付随する利点を維持しながら、アンダーフィル材によって選択的アンダーフィル備えた光電子ダイをＰＷＢに対してフリップチップアセンブルし得る。アンダーフィル材によるダイの電気機械部分の被覆を制限することによって、電気機械デバイスの特性が低下されない。
【００１４】
アンダーフィル材は十分な粘度を有するため、アンダーフィル材の適用中、ダイの選択領域は開放されたまま残留して、アンダーフィル材を有さない。はんだリフロー中、アンダーフィル材は外側方向へ流動してダイ縁部において平縁を形成し得るが、光学的活性領域の周囲にて内方向に折り込まれない。平縁はアンダーフィル材の内側の縁部にも形成され得る。本発明はアンダーフィル材を用いて光電子ダイをフリップチップアセンブルする全ての光電子アセンブリに適用され得る。本発明はアンダーフィル材を用いて電気機械ダイをフリップチップアセンブルする全ての電気機械アセンブリに適用され得る。リフロー後、アンダーフィル材は、バンプ形成フリップチップとプリント配線板との間にて付加的
な接合強度を付与し、また、電気接続されたフリップチップの緊張を緩和する。
【００１５】
図１に、先行技術にて代表的な非選択的アンダーフィルを有する光電子フリップチップアセンブリを示す。フリップチップアセンブリ１００は、はんだバンプ１２０のアレイが形成されたフリップチップ１１０を備え、非選択的アンダーフィル材１４０を用いて基板１３０に装着されている。フリップチップ１１０は一連の電子デバイス、電気接続トレース、電気バイア、及びフリップチップパッド１１２の配列を有し得る。フリップチップ１１０は一つ以上の光電子デバイス１６４も有し得る。はんだボール、又ははんだバンプ１２０は、当業者に公知の金属蒸着法、金属電気メッキ、はんだボール配置、又は他のバンプ形成プロセスによりフリップチップのパッド１１２上に形成されている。はんだバンプ１２０は基板１３０に対向して配置され、はんだの共晶融点よりも高温に加熱されることによって融解して基板１３０に接続される。基板１３０はフリップチップを基板に対して電気接続するための接続トレースと基板パッド１３２とを有する。基板１３０はフリップチップの光電子デバイス１６４に対応する一つ以上の光デバイス１３４も有し得る。基板１３０は電子構成要素、光学構成要素、及び他のフリップチップも有し得る。
【００１６】
はんだリフロー後、はんだバンプ１２０はフリップチップ１１２と基板パッド１３２とを介して、基板１３０に対して電気的、機械的及び冶金的に接続される。非選択的アンダーフィル１４０はダイ装着に付加的な接合強度を付与する。非選択的アンダーフィル材１４０は、フリップチップアセンブリの温度過渡中のはんだボールインターフェイスにおける緊張を緩和し、かつフリップチップの性能を低下させ得る湿気、粒子、及び環境による他の汚染物質からフリップチップを保護する。アンダーフィル材は、リフロー工程に先立ってフリップチップに塗布されるか、又はリフロー完了後にフリップチップの縁部に塗布された後に、毛管現象によりフリップチップ表面と基板との間の領域内に移動させて、フリップチップと基板とを接合して保護を提供し得る。非選択的アンダーフィル材１４０は、フリップチップの光電子デバイス１６４と、基板の光電子デバイス１３４との間にも配置される。このアンダーフィルプロセスは選択的なものではなく、フリップチップ上の光電子デバイスと対応する基板上のデバイス間において光信号の自由空間伝達の光路を妨害する。非選択的アンダーフィル材１４０は、フリップチップ１１０と基板１３０間で光エネルギーを伝達するために、関心波長において僅かに透過性を有し、かつ非透明部分、空隙、及び他の光学的形状異常を含む任意の欠陥部を有さないものである必要がある。ＴＣＥ適合性のために非選択的アンダーフィル材１４０中に含有された充填材は、光を必要以上に散乱、又は分散させないものでなければならない。代替的に、アンダーフィル材を完全に省略することも可能であるが、付随する利益も消失される。
【００１７】
図２の符号２００に、本発明の一実施形態による選択的アンダーフィルを備えた光電子、又は電気機械フリップチップアセンブリを示す。選択的アンダーフィルフリップチップアセンブリ２００は、基板、即ちプリント配線板（ＰＷＢ）２３０に電気接続された少なくとも一つのはんだボール、又ははんだバンプ２２０を有する、一つ以上の光電子、又は電気機械フリップチップ２１０と、フリップチップ２１０のバンプ形成面とＰＷＢ２３０との間に存在する選択的アンダーフィル材２４０とを有する。
【００１８】
フリップチップ２１０は、多数の能動構成要素、受動構成要素、又はこれらの任意の組み合わせを有し得る。フリップチップ２１０はレジスタ、キャパシタ及びトランジスタ等の電子構成要素を有し得る。これらの構成要素はフリップチップ２１０上に集積され得る。フリップチップ２１０は、一つ以上の集積回路２１２を有し得る。フリップチップ２１０は、電気接続トレースとフリップチップパッド２１２の一組を有し得る。フリップチップ２１０は光学、又は電気機械部分２６０内に一つ以上の光デバイスを有し得る。フリップチップ２１０はフォトダイオード、フォトディテクタ、フォトダイオード・アレイ、又はフォトディテクタ・アレイ等、一つ以上の光電子デバイス、又は電気機械デバイス２６
４を有し得る。フリップチップ２１０は一つ以上の発光ダイオード、半導体レーザ、垂直共振器型面発光レーザ、端面発光レーザ、フォトエミッタ、光エミッタ、又は光ディテクタを有し得る。フリップチップ２１０は、導光管、マイクロレンズ又はマイクロレンズ・アレイ等の屈折素子、鏡等の反射素子、又は光学素子等、一つ以上の受動光デバイスを有し得る。フリップチップ２１０はこれら能動素子及び受動素子の任意の組み合わせを有し得る。
【００１９】
代替的に、フリップチップ２１０は、電気機械部分２６０内に一つ以上の電気機械デバイスを有してもよい。フリップチップ２１０は電気機械フィルタ、電気機械リレー、音声エミッタ、音声ディテクタ、弾性表面波デバイス、バルク弾性波デバイス、薄膜機械素子、マイクロ流体デバイス、又は微小電気機械デバイス等、一つ以上の電気機械デバイスを有し得る。本発明の代表的な実施形態において、フリップチップ２１０は、バンプ形成光電子フリップチップ、又はバンプ形成電気機械フリップチップであり得る。フリップチップ２１０は、同フリップチップの活性表面上に少なくとも一つのはんだバンプ、又ははんだボールを有し得る。一般に、はんだボール、又ははんだバンプ２２０は、公知の金属蒸着法、金属めっき法、はんだボール配置、又は他のバンプ形成プロセスにより形成される。はんだボール又ははんだバンプ２２０はＰＷＢ２３０に対向して配置されて、溶解してＰＷＢ２３０に接続されるために加熱され得る。ＰＷＢ２３０は、フリップチップ２１０をＰＷＢ２３０に電気接続するための接続トレースのアレイと基板パッド２３２とを有し得る。ＰＷＢ２３０は、ＰＷＢ２３０に接合された、又はＰＷＢ２３０上に形成された一つ以上の能動デバイス、及び受動デバイスを有し得る。ＰＷＢ２３０はプリント回路基板であってもよい。プリント配線板は、単層又は複層からなるＦＲ４基板、有機回路基板、又はマザーボードであり得る。ＰＷＢ２３０は光電子モジュール、電気機械モジュール、セラミック基板、ハイブリッド回路基板、パッケージ基板、又はシリコン基板等の半導体基板、若しくは化合物半導体基板であり得る。ＰＷＢ２３０はポリイミドテープ、フレックス回路、高密度相互接続基板、電気機械回路基板、又は光電子回路基板であり得る。フリップチップ２１０の活性表面はＰＷＢ２３０上に配置かつ固定され、フリップチップ上の少なくとも一つの光電子デバイスはＰＷＢ２３０上の関連するデバイスに対して光学的に接続され得る。
【００２０】
一実施形態のＰＷＢ２３０は、フリップチップの光電子、又は電気機械デバイス２６４に対応する、一つ以上の基板の光電子デバイス２３４を有している。基板の光電子デバイス２３４は、フォトダイオード、フォトディテクタ、フォトダイオード・アレイ、フォトディテクタ・アレイ、発光ダイオード、半導体レーザ、垂直共振器型面発光レーザ、端面発光レーザ、フォトエミッタ、光エミッタ、光ディテクタ、導光管、屈折素子、反射素子、光学素子、又はこれらの任意の組み合わせであり得る。例えば、フリップチップ２１０上のＶＣＳＥＬレーザは、ＰＷＢ２３０上のフォトディテクタ、又は受動導光管に対して光学的に整合され得る。ＰＷＢ２３０は導光管、プリズム、鏡、及び他の光学素子を伴う開口部と複数の層とを有し得る。
【００２１】
選択的アンダーフィル材２４０は、フリップチップ２１０の非光学、及び非電気機械部分２５０上に配置され得る。非光学、及び非電気機械部分２５０は一つ以上の受動、又は能動電子デバイス２５４を備え得る。選択的アンダーフィル材２４０は、フリップチップ２１０の一つ以上の光学、又は電気機械部分２６０の箇所を除いて配置され得る。フリップチップ２１０の一つ以上の光学、又は電気機械部分２６０は、フリップチップ２１０がプリント配線板上に配置されて、フリップチップ２１０をＰＷＢ２３０に対して電気接続するために加熱される際に選択的アンダーフィル材２４０を有さなくてもよい。光学、又は電気機械部分２６０は、少なくとも一つの光学、又は電気機械デバイス２６４を有し得る。フリップチップ２１０の光学、又は電気機械部分２６０がアンダーフィル材により負の影響を受けない場合、又はＰＷＢ２３０上に対応する素子が存在しない場合は、フリッ
プチップ２１０の光学、及び電気機械部分２６０の全部が選択的アンダーフィル材２４０を有さない必要はない。
【００２２】
選択的アンダーフィル材２４０は一部、又は二部エポキシ等の充填エポキシからなっていてもよく、該充填エポキシはダイ装着プロセス中にフリップチップ２１０をＰＷＢ２３０から分離する絶縁微小球を含有している。選択的アンダーフィル材に充填材を添加して、アンダーフィル材の熱膨張特性を改良してもよい。選択的アンダーフィル材２４０は、エポキシ、熱可塑性材料、熱硬化性材料、ポリイミド、ポリウレタン、高分子材料、充填エポキシ、充填熱可塑性材料、充填熱硬化性材料、充填ポリイミド、充填ポリウレタン、充填高分子材料、又は任意の適切なアンダーフィル化合物を含み得る。
【００２３】
図３の符号３００に、本発明の一実施形態による選択的アンダーフィル材を備えたバンプ形成光電子、又は電気機械フリップチップの断面図を示す。選択的アンダーフィルを備えたバンプ形成光電子フリップチップ、又は電気機械フリップチップ３００は、バンプ３２０を有するバンプ形成フリップチップ３１０と、選択的アンダーフィル材３４０とを有し得る。バンプ３２０は、フリップチップ３１０の活性表面上のはんだバンプ、又ははんだボールであり得る。バンプ３２０はフリップチップパッド３１２においてフリップチップ３１０に対して接続され得る。フリップチップパッド３１２は、一つ以上のオンチップ接続トレースによりフリップチップ３１０上の電気、電子、及び光デバイスに対して接続され得る。
【００２４】
選択的アンダーフィル材を有するバンプ形成光電子フリップチップ、又は電気機械フリップチップ３００は、非光学、及び非電気機械部分３５０と、光学、又は電気機械部分３６０とを有する場合が多い。非光学、及び非電気機械部分３５０は一つ以上の受動、又は能動電子デバイス３５４を有し得る。バンプ形成フリップチップ３１０は少なくとも一つの光学、又は電気機械デバイス３６４を有し得る。光学部分３６０は少なくとも一つの光学、又は電気機械デバイス３６４を有し得る。光デバイス３６４はフォトダイオード、フォトディテクタ、フォトダイオード・アレイ、フォトディテクタ・アレイ、発光ダイオード、半導体レーザ、垂直共振器型面発光レーザ、端面発光レーザ、フォトエミッタ、光エミッタ、光ディテクタ、導光管、屈折素子、反射素子、光学素子、又はこれらの任意の組み合わせであり得る。電気機械デバイス３６４は電気機械フィルタ、電気機械リレー、音声エミッタ、音声ディテクタ、弾性表面波デバイス、バルク弾性波デバイス、薄膜機械素子、マイクロ流体デバイス、又は微小電気機械デバイスであり得る。
【００２５】
選択的アンダーフィル材３４０は非光学、及び非電気機械部分３５０上に配置されている一方、フリップチップ３１０の光電子、又は電気機械部分３６０はアンダーフィル材３４０を有さない。選択的アンダーフィル材３４０は、ガラス又は絶縁微小球で充填されたエポキシ等の充填エポキからなり得る。アンダーフィル材３４０はエポキシ、熱可塑性材料、熱硬化性材料、ポリイミド、ポリウレタン、高分子材料、充填熱可塑性材料、充填熱硬化性材料、充填ポリイミド、充填ポリウレタン、充填高分子材料、又は任意の適切なアンダーフィル化合物を含み得る。アンダーフィル材は、フリップチップ３１０の非光学、及び非電気機械部分３５０上に配置され得る。アンダーフィル材３４０はバンプ３２０の高さより薄く形成され得る。アンダーフィル材３４０は、バンプの厚さの１／２よりも厚く、かつバンプの高さよりも低く形成され得る。アンダーフィル材３４０は、リフローされた際にフリップチップ３１０に対して良好な電気接続が形成されることを条件として、バンプの高さより厚く形成され得る。フリップチップ３１０の光学部分はアンダーフィル材を有さず、かつフリップチップの非光学部分はアンダーフィル材の透過率の影響を受けないため、アンダーフィル材３４０は、透明材料、半透明材料、又は非透明材料のいずれからなっていてもよい。アンダーフィル材３４０は、電気接続されたフリップチップ３１０の緊張を緩和し得る。
【００２６】
図４の符号４００に、本発明の一実施形態による選択的アンダーフィルを備えたバンプ形成光電子、又は電気機械フリップチップの平面図を示す。バンプ形成フリップチップ４００は光電子、又は電気機械フリップチップ４１０と、フリップチップバンプのアレイ４２０と、選択的アンダーフィル材４４０とを有する。バンプ形成フリップチップ４００は、非光学、及び非電気機械部分４５０と、一つ以上の光学、又は電気機械部分４６０ａ，４６０ｂ，４６０ｃとを有する。非光学、及び非電気機械部分４５０は、一つ以上の能動、又は受動電子デバイス４５４を有し得る。光学、又は電気機械部分４６０ａ，４６０ｂ，４６０ｃは、一つ以上の光学、又は電気機械デバイス４６４を有し得る。
【００２７】
光電子、又は電気機械フリップチップ４１０は、フォトダイオード、フォトディテクタ、フォトダイオード・アレイ、フォトディテクタ・アレイ、発光ダイオード、半導体レーザ、垂直共振器型面発光レーザ、端面発光レーザ、フォトエミッタ、光エミッタ、光ディテクタ、導光管、屈折素子、反射素子、光学素子、又はこれらの任意の組み合わせ等の、能動光学デバイス、及び電子デバイスと、受動光学デバイス、及び電子デバイスとの任意の組み合わせを有し得る。光電子フリップチップ４１０は、同フリップチップの活性表面上に少なくとも一つのはんだバンプ、又ははんだボールを有する。電気機械フリップチップ４１０は、能動電子デバイス、及び受動電子デバイスと、電気機械フィルタ、電気機械リレー、音声エミッタ、音声ディテクタ、弾性表面波デバイス、バルク弾性波デバイス、薄膜機械素子、マイクロ流体デバイス、及び微小電気機械デバイス等、一つ以上の電気機械デバイスとの任意の組み合わせを有し得る。
【００２８】
フリップチップバンプ４２０は被覆金属、めっき金属、はんだボール配置技術、又は公知の任意のはんだボール、又ははんだバンププロセスにより光電子、又は電気機械フリップチップ４１０上に形成され得る。
【００２９】
アンダーフィル材４４０は、光電子、又は電気機械フリップチップ４１０の非光学、及び非電気機械部分上に対して選択的に配置される。アンダーフィル材４４０は少なくとも一つのバンプの高さより薄く形成され得る。アンダーフィル材４４０は、フリップチップバンプ４２０の全部、又は一部を覆い得る。アンダーフィル材４４０は、関心波長において透過性、半透過性を、又は不透過性を有し得る。アンダーフィル材４４０は、電気接続されたフリップチップの緊張を緩和する。アンダーフィル材４４０は、通常、エポキシ、熱可塑性材料、熱硬化性材料、ポリイミド、ポリウレタン、高分子材料、充填熱可塑性材料、充填熱硬化性材料、充填ポリイミド、充填ポリウレタン、充填高分子材料、又は任意の適切なアンダーフィル化合物を含む。
【００３０】
図５の符号５００は、本発明の一実施形態による光電子、又は電気機械フリップチップをプリント配線板に装着する方法を示すブロック図である。フリップチップ装着方法５００は、プライムチップ装着とも称される。この方法は、バンプ形成光電子、又は電気機械フリップチップにアンダーフィル材を選択的に塗布する工程と、同フリップチップをプリント配線板に装着する工程とを含む。フリップチップは、フリップチップの光学、又は電気機械部分内に配置された少なくとも一つの光学、又は電気機械デバイスを有する。光デバイスは、フォトダイオード、フォトディテクタ、フォトダイオード・アレイ、フォトディテクタ・アレイ、発光ダイオード、半導体レーザ、垂直共振器型面発光レーザ、端面発光レーザ、フォトエミッタ、光エミッタ、光ディテクタ、導光管、屈折素子、反射素子、光学素子、又はこれらの任意の組み合わせを有し得る。電気機械デバイスは、電気機械フィルタ、電気機械リレー、音声エミッタ、音声ディテクタ、弾性表面波デバイス、バルク弾性波デバイス、薄膜機械素子、マイクロ流体デバイス、又は任意の微小電気機械デバイスを有し得る。
【００３１】
本発明の代表的な一実施形態では、バンプ形成光電子、又は電気機械フリップチップを提供する。ブロック５１０に示すように、光電子、又は電気機械フリップチップのバンプ形成面にパターン化されたマスクを配置する。光電子、又は電気機械フリップチップは、通常、フリップチップの活性表面上に一つ以上のはんだバンプ、又ははんだボールを備えている。パターン化マスクは微細なメッシュからなるスクリーンを備えてもよく、該スクリーン上には一つ以上のバリア状部分が存在している。バリア状部分はフリップチップの光学、及び電気機械部分を覆う部分からなり得る。パターン化マスクは、ウエハレベルでアンダーフィルが塗布される際に、ストリート上にバリア状部分を有していてもよい。代替的に、パターン化マスクは、プラスチック又は金属等のシート材内に打ち抜かれた、又は形成された孔、及びその他の形態を有するステンシルであってもよい。マスクの開放領域を介してゲル、懸濁液、スラリー及び粘液等の物質を通過させて、下部の基板上に物質の薄膜を形成する。アンダーフィル材は、フリップチップの非光学、及び非電気機械部分に塗布され得て、一つ以上の光学、又は電気機械部分はアンダーフィル材を有さない状態に保持される。その後、アンダーフィル材を乾燥及び安定化して半硬化させるか、又は別様に固形化する。
【００３２】
符号５２０に示すように、アンダーフィル材はパターン化マスクを介してフリップチップの一つ以上の非光学、及び非電気機械部分上に分配され得る。アンダーフィル材は、エポキシ、熱可塑性材料、熱硬化性材料、ポリイミド、ポリウレタン、高分子材料、充填熱可塑性材料、充填熱硬化性材料、充填ポリイミド、充填ポリウレタン、充填高分子材料、又は任意の適切なアンダーフィル化合物を含み得る。アンダーフィル材は、関心波長において透過性、半透過性、又は不透過性を有し得る。アンダーフィル材は、フリップチップ上のバンプの厚さ迄、分配され得る。アンダーフィル材は、アンダーフィル材がリフロー中に軟化して、バンプがプリント配線板に電気接続されることを条件として、バンプの厚さより厚く分配されてバンプを覆ってもよい。
【００３３】
ブロック５３０に示すように、アンダーフィル材は熱処理され得る。アンダーフィル材を加熱して、はんだバンプの周囲のアンダーフィル材を流動させる一方、光電子、及び電気機械デバイスはアンダーフィル材を有さない状態に維持される。アンダーフィル材の粘度は、アンダーフィル材がバンプ周囲において十分に流動するが、フリップチップの光学、及び電気機械領域内に流入しないように選択され得る。アンダーフィル材は予め設定された温度に加熱されて溶媒を除去することによって固形化されるが、必ずしも硬化される必要はない。エポキシや他の高分子材料を基材とするアンダーフィル材を同アンダーフィル材のステージ温度に加熱して、アンダーフィル材がもはや粘着性を有さなくなるまで乾燥する。アンダーフィル材は乾燥されて未硬化のまま残留されるか、又は加熱工程の後、半硬化され得る。アンダーフィル材のステージ温度は８０〜１５０℃であり得る。熱処理ステップは、空気、窒素、又は真空等の制御環境内で実行され得る。ステージ温度は、通常、３０分〜２時間持続される。
【００３４】
代替的に、型抜きフィルム、アンダーフィル材と後部支持層との積層体、又は他のシート形態を備えたパターン化アンダーフィル材を使用して、アンダーフィル材をフリップチップの非光学、及び非電気機械部分に塗布してもよい。型抜きフィルム、即ちパターン化アンダーフィル薄膜をバンプ形成フリップチップに整合し、フリップチップのバンプ形成面に対向して配置してフリップチップ上を加圧すると同時に加熱して、アンダーフィル材をフリップチップに接着する。その後、後部支持層を除去し得る。別の一実施形態形態では、パターン化アンダーフィル薄膜間の領域を揚出して、パターン化アンダーフィル薄膜とフリップチップ間に存在する空気を除去した後、アンダーフィル材をフリップチップと共に加熱して、選択的アンダーフィルをフリップチップに接着し得る。
【００３５】
アンダーフィル材を熱処理、即ち乾燥した後、ブロック５４０に示すように、フリップ
チップ上の光デバイスが、プリント配線板上の対応する光デバイスに整合するように、フリップチップをプリント配線板上に配置し得る。プリント配線板は、単層、又は複層からなるＦＲ４基板、有機回路基板、マザーボード、光電子モジュール、電気機械モジュール、セラミック基板、ハイブリッド回路基板、パッケージ基板、半導体基板、ポリイミドテープ、フレックス回路、高密度相互接続基板、電気機械回路基板、又は光電子回路基板であり得る。
【００３６】
符号５５０に示すように、フリップチップバンプをバンプ形成光電子、又は電気機械フリップチップのリフロー温度以上に加熱して、フリップチップをプリント配線板に電気的かつ機械的に接続し得る。リフロー温度を超えたとき、はんだバンプは液化してプリント配線板にはんだ付けされ得る。２０秒〜２分間以上経過した後、熱源を除去してフリップチップアセンブリを室温に冷却し得る。鉛−錫はんだバンプのリフロー温度は１８３〜２２０℃であり得る。鉛が含有されていないか、又は鉛の含有量が少ないバンプのリフロー温度は、２２０〜２５０℃であり得る。インジウム又は他の材料を基材とした低温はんだのリフロー温度は、１６０℃まで低くなり得る。
【００３７】
ブロック５６０に示すように、加熱工程の後、フリップチップ上のデバイスをプリント配線板に電気的かつ機械的に接続する。フリップチップの光学、及び電気機械部分は、アンダーフィル材を有さない状態に維持される。アンダーフィル材は、電気接続されたフリップチップの緊張を緩和する。その後、フリップチップアセンブリをカプセル材、又は他の適切な保護材で包囲してもよい。場合によっては、ポストキュア工程を含んでもよい。選択的アンダーフィル材は約１００〜１５０℃のアンダーフィルポストキュア温度にて１５〜３０分間加熱され得る。
【００３８】
図６の符号６００に、本発明の一実施形態による選択的アンダーフィルプロセスのブロック図を示す。選択的アンダーフィルプロセス６００は、ウエハ適用アンダーフィルとも称される。本プロセスは、バンプ形成半導体ウエハ、又はバンプ形成フリップチップ上にアンダーフィル材を選択的に分配する工程を含む。バンプ形成半導体ウエハは、バンプが形成されたフリップチップのアレイを備え得る。この半導体ウエハは、少なくとも一つのはんだバンプ、又ははんだボールと、少なくとも一つの光電子、又は電気機械デバイスとを備える。半導体ウエハは、少なくとも一つの光電子、又は電気機械デバイスを備えたシリコンウエハからなり得る。半導体ウエハは、ガリウムヒ素、窒化ガリウム、リン化インジウム、又は他の適切な光電子半導体材料からなり得る。
【００３９】
アンダーフィル材を分配する際には、ブロック６１０に示すように、バンプ形成半導体ウエハ又はフリップチップに、パターン化されたマスクを整合し得る。アンダーフィル材は、マスク上でバリア状部分によりブロックされていないマスク領域を介して、バンプ形成半導体ウエハ上に選択的に分配され得る。パターン化マスクは一つ以上の光電子、又は電気機械デバイスに対応する少なくとも一つのバリア状部分を有し得る。
【００４０】
符号６２０に示すように、アンダーフィル材はパターン化マスクを介してバンプ形成半導体ウエハ上に分配されるが、その際、光電子、及び電気機械デバイスは、アンダーフィル材を有さない状態に維持され得る。この方法によれば、ダイシングストリート等、他のウエハレベルのフィーチャもアンダーフィル材を有さない状態に保持されることが可能である。ペンシステム又は針分配システム（needle dispensing system)、若しくはインク
ジェット・ノズルを用いた書き込み等、他の工程によりアンダーフィル材を堆積させてもよい。
【００４１】
符号６３０に示すように、アンダーフィル材は、通常、加熱されて乾燥される。アンダーフィル材は、同アンダーフィル材のステージ温度以上に加熱され得る。アンダーフィル
材のステージ温度は、通常８０〜１５０℃である。乾燥時間は２〜２０分間以上であり得る。アンダーフィル材は本ステップ中に半硬化され得る。
【００４２】
この代表的な実施形態において、符号６４０に示すように、アンダーフィル材は、ステージサイクル中、又は半硬化サイクル中に加熱されて、非光学、及び非電気機械領域内のはんだバンプの周囲において流動化する一方、光電子デバイスはアンダーフィル材を有さない状態に維持される。アンダーフィル材は軟化および流動化されて、バンプに対して良好に接着してバンプを包囲する。ステージサイクルが実行される場合、サイクルは空気、窒素、又は他の制御環境内にて１５０℃迄の温度で１０分〜２時間以上実行され得る。
【００４３】
符号６５０に示すように、バンプ形成半導体ウエハは個々のフリップチップにダイシングされ得る。フリップチップはバンプと選択的アンダーフィル材とを有し、フリップチップアセンブリ内のプリント配線板、又は他の基板に対して装着され得る。
【００４４】
図７の符号７００に、本発明の別の一実施形態による選択的アンダーフィルプロセスのブロック図を示す。選択的アンダーフィルプロセス７００は、ウエハ適用アンダーフィルとも称される。本工程は、パターン化されたアンダーフィルの薄膜を使用して、バンプ形成半導体ウエハ、又はバンプ形成フリップチップ上にアンダーフィル材を選択的に分配する工程を含む。バンプ形成半導体ウエハは、少なくとも一つの光電子、又は電気機械デバイスと、少なくとも一つのはんだバンプとを備える。パターン化アンダーフィル薄膜は型抜きフィルム、即ちアンダーフィル材と、解離層、即ち後部支持層とを有する積層体であってもよい。
【００４５】
パターン化アンダーフィル薄膜は、エポキシ、熱可塑性材料、熱硬化性材料、ポリイミド、ポリウレタン、高分子材料、充填エポキシ、充填熱可塑性材料、充填熱硬化性材料、充填ポリイミド、充填ポリウレタン、充填高分子材料、又は任意の適切なアンダーフィル化合物等を含むアンダーフィル材の薄層を備えている。後部支持層は、アンダーフィル材を支持するために使用される透明なプラスチック、ｍｙｌａｒ（登録商標）、又はアセテートシートからなり得る。
【００４６】
アンダーフィル層内に、窓、開口部、ストリート及び他の形状部分を形成してもよい。アンダーフィル材はダイと共に切り込まれるか、又は打ち抜かれて所定の形状に成形され得る。代替的に、アンダーフィル材はレーザで選択的に融除されるか、又は任意の適切な成形技術により、所望のパターンに成形され得る。
【００４７】
ブロック７１０に示すように、パターン化アンダーフィル薄膜はバンプ形成半導体ウエハの表面に整合される。バンプ形成ウエハ上の少なくとも一つの光電子デバイス、又は電気機械デバイスにパターン化アンダーフィル材の少なくとも一つの開口部が整合される。
【００４８】
ブロック７２０に示すように、パターン化アンダーフィル薄膜はバンプ形成半導体ウエハに貼付される。パターン化アンダーフィル薄膜は、パターン化アンダーフィル薄膜とバンプ形成半導体ウエハとが貼付温度にある際、パターン化アンダーフィル薄膜をバンプ形成半導体ウエハに対して加圧することによってバンプ形成半導体ウエハに貼付され得る。貼付温度は約６０〜１００℃であり得る。パターン化アンダーフィル薄膜は、熱ローラ、加圧装置、又は任意の適切な加圧機構を用いて加圧され得る。代替的に、パターン化アンダーフィル薄膜は、パターン化アンダーフィル薄膜とバンプ形成半導体ウエハ間の領域を揚出することにより該領域に捕捉された空気を除去して、バンプ形成半導体ウエハにパターン化アンダーフィル薄膜を堅固に付着させることによって貼付され得る。バンプ形成半導体ウエハとパターン化アンダーフィル薄膜とは、約６０〜１００℃の貼付温度に加熱され得る。
【００４９】
ブロック７３０に示すように、後部支持層は除去され得る。後部支持層は剥離等によってアンダーフィル材、及びバンプ形成半導体ウエハから分離される。アンダーフィル材は、バンプ形成半導体ウエハに貼付されたまま残留して、光電子デバイス、又は電気機械デバイスは、アンダーフィル材を有していない。
【００５０】
ブロック７４０に示すように、アンダーフィル材はバンプ形成半導体ウエハ上の非光学、及び非電気機械領域内のバンプの周囲において流動化される。アンダーフィル材は、同材料がバンプの周囲において流動するが、光電子、又は電気機械デバイス内に流入しない温度にまで加熱され得る。光電子デバイス、又は電気機械デバイスはアンダーフィル材を有さない状態に維持される。
【００５１】
ブロック７５０に示すように、アンダーフィル材を備えたバンプ形成半導体ウエハは、個々のフリップチップにダイシングされる。フリップチップはバンプと選択的アンダーフィル材とを有し、フリップチップアセンブリにおいてプリント配線板や他の基板に対して装着され得る。
【００５２】
本願に開示された本発明の実施形態は目下好ましいが、本発明の趣旨及び範囲から逸脱せずに様々な変更及び改良を行うことが可能である。本発明の範囲は添付の特許請求の範囲内に示され、本発明の等価物の意味及び範囲内に含まれる全ての変更は、本発明に包含されるものとする。
【図面の簡単な説明】
【００５３】
【図１】先行技術にて代表的な、非選択的アンダーフィルを備えた光電子フリップチップアセンブリの断面図。
【図２】本発明の一実施形態による選択的アンダーフィルを備えた光電子、又は電気機械フリップチップアセンブリの断面図。
【図３】本発明の一実施形態による選択的アンダーフィルを備えたバンプ形成光電子、又は電気機械フリップチップ断面図。
【図４】本発明の一実施形態による選択的アンダーフィルを備えたバンプ形成光電子、又は電気機械フリップチップの断面図。
【図５】本発明の一実施形態による光電子、又は電気機械フリップチップをプリント配線板に装着する方法を示すブロック図。
【図６】本発明の一実施形態による選択的アンダーフィルプロセスのブロック図。
【図７】本発明の別の一実施形態による選択的アンダーフィルプロセスのブロック図。
【図１】
2006511964.tif 000003
【図２】
2006511964.tif 000004
【図３】
2006511964.tif 000005
【図４】
2006511964.tif 000006
【図５】
2006511964.tif 000007
【図６】
2006511964.tif 000008
【国際調査報告】
2006511964.tif 000009
2006511964.tif 000010